(57)【特許請求の範囲】
【請求項１】
チューナにより周波数変換された変調信号をアナログデジタル変換するＡＤ変換器と、
前記チューナにより周波数変換された変調信号のレベルを検出して前記チューナの利得を制御する自動利得制御器と、
前記ＡＤ変換器によりデジタル信号に変換された変調信号を復調する復調器と、
復調されたデータの伝送路特性を補正する波形等化器とを有し、
前記自動利得制御器は前記ＡＤ変換器と前記波形等化器の間に構成され、
前記波形等化器に入力される信号レベルの平均値が、前記波形等化器内の誤差検出に用いられる誤差検出器で設定された信号レベルの平均値よりも大きな値になるように前記自動利得制御器で前記チューナの利得を制御することを特徴とするデジタル放送受信装置。
【請求項２】
チューナにより周波数変換された変調信号をアナログデジタル変換するＡＤ変換器と、
前記チューナにより周波数変換された変調信号のレベルを検出して前記チューナの利得を制御する第１の自動利得制御器と、
前記ＡＤ変換器によりデジタル信号に変換された変調信号を復調する復調器と、
デジタル信号のレベルを制御する第２の自動利得制御器と、
復調されたデータの伝送路特性を補正する波形等化器とを有し、
前記第１の自動利得制御器と前記第２の自動利得制御器は、前記ＡＤ変換器と前記波形等化器の間に構成され、
前記第１の自動利得制御器は前記第２の自動利得制御器の前段に構成し、
前記第１の自動利得制御器は、前記ＡＤ変換器に入力されるレベルが所定の値になるように、前記チューナの利得を制御し、
前記波形等化器に入力される信号レベルの平均値が、前記波形等化器内の誤差検出に用いられる誤差検出器で設定された信号レベルの平均値よりも大きな値になるように前記第２の自動利得制御器で利得を制御することを特徴とするデジタル放送受信装置。
【請求項３】
チューナにより周波数変換された変調信号をアナログデジタル変換するＡＤ変換器と、
前記チューナにより周波数変換された変調信号のレベルを検出して前記チューナの利得を制御する自動利得制御器と、
前記ＡＤ変換器によりデジタル信号に変換された変調信号を復調する復調器と、
復調されたデータの伝送路特性を補正する波形等化器と、
前記自動利得制御器のレベル検出器からのレベル検出信号に基づいて、受信した変調信号にダイナミックゴースト妨害が存在するか存在しないかを識別し、ダイナミックゴースト妨害が存在すると識別したときは前記波形等化器の等化速度を上げ、ダイナミックゴースト妨害が存在しないと識別したときは前記波形等化器の等化速度を下げるゴースト妨害識別器とを有し、
前記ゴースト妨害識別器からの識別結果に基づいて前記波形等化器の動作を変化させることを特徴とするデジタル放送受信装置。
【請求項４】
チューナにより周波数変換された変調信号をアナログデジタル変換するＡＤ変換器と、
前記チューナにより周波数変換された変調信号のレベルを検出して前記チューナの利得を制御する自動利得制御器と、
前記ＡＤ変換器によりデジタル信号に変換された変調信号を復調する復調器と、
復調されたデータの伝送路特性を補正する波形等化器と、
前記波形等化器のフィルタ係数の値に基づいて、受信した変調信号にダイナミックゴースト妨害が存在するかしないかを識別し、ダイナミックゴースト妨害が存在すると識別したときは前記波形等化器の等化速度を上げ、ダイナミックゴースト妨害が存在しないと識別したときは前記波形等化器の等化速度を下げるゴースト妨害識別器とを有し、
前記ゴースト妨害識別器からの識別結果に基づいて前記波形等化器の動作を変化させることを特徴とするデジタル放送受信装置。
【請求項５】
チューナにより周波数変換された変調信号をアナログデジタル変換するＡＤ変換器と、
前記チューナにより周波数変換された変調信号のレベルを検出して前記チューナの利得を制御する第１の自動利得制御器と、
前記ＡＤ変換器によりデジタル信号に変換された変調信号を復調する復調器と、
後述する波形等化器の入力レベルを制御する第２の自動利得制御器と、
復調されたデータの伝送路特性を補正する波形等化器と、
前記第２の自動利得制御器のレベル検出器からのレベル検出信号に基づいて、受信した変調信号にダイナミックゴースト妨害が存在するかまたはスタティックゴースト妨害が存在するかを識別し、ダイナミックゴースト妨害が存在すると識別したときは前記波形等化器の等化速度を上げ、ダイナミックゴースト妨害が存在しないと識別したときは前記波形等化器の等化速度を下げるゴースト妨害識別器とを有し、
前記ゴースト妨害識別器からの識別結果に基づいて前記波形等化器の動作を変化させることを特徴とするデジタル放送受信装置。
【発明の詳細な説明】
【０００１】
【発明の属する技術分野】
本発明はテレビジョン放送、ラジオ放送の特に地上デジタル放送の受信装置に関するものである。
【０００２】
【従来の技術】
米国の８ＶＳＢ変調信号を受信するデジタル放送受信装置の例を元に、従来の地上デジタル放送受信装置の構成を図１に示す。
【０００３】
アンテナで受信されたＲＦアナログの変調信号１は、チューナ２で周波数変換され、ＡＤ変換器３でアナログの変調信号をデジタルの変調信号に変換し、自動利得制御器４でデジタルの変調信号のレベルの平均値を検出し、ＡＤ変換器３に入力されるアナログの変調信号が所定のレベルになるようにチューナの利得を制御し、所定のレベルに制御されたデジタルの変調信号を復調する復調器５があり、波形等化器６では、復調器により復調されたデジタル信号から地上の伝送路によって付加されたゴースト妨害などの伝送路特性を除去し、誤り訂正器７にデータを渡している。
【０００４】
図１０には自動利得制御器４の構成を示す。自動利得制御器４はＡＤ変換器３に入力される信号レベルの平均値を求める平均化器８と、ＡＤ変換器３に入力される信号レベルの平均値を希望する値に設定するための基準値設定器５６と、基準値設定器５６の出力値との誤差をとる減算器９と、減算器９で計算された誤差を積分する積分器１１と、その積分器１１の出力によりチューナの利得を上げたり、下げたりする信号を発生する自動利得制御信号発生器１２がある。積分器１１の出力値がマイナスであれば、チューナ２の利得を上げ、積分器１１の出力値がプラスであれば、チューナ２の利得を下げる制御を行う。
【０００５】
復調器５でデジタルの変調信号の周波数位相誤差を検出して、デジタルの変調信号をベースバンド信号に周波数位相変換される。地上の伝送路においてノイズやゴーストなどの妨害を受けていない場合に８ＶＳＢ変調信号が復調されると図に示すようなには８レベル信号となる。
【０００６】
従来のデジタル放送受信装置の波形等化器６の構成を図３示す。波形等化器６はフィルタ１７、誤差検出器１４、ステップパラメータ設定器１３、係数設定器１５からなる。
【０００７】
フィルタ１７の構成を図４に示す。２０〜２３、３３〜３５はデータ遅延器、２４〜２７、３６〜３８は乗算器、３２、４２は加算器、２８〜３０、３９〜４１のａ（０）からａ（ｎ）はフィルタ係数を示している。なお、図では「ａ」等の符号の次の数字は下付文字で表されているが、明細書文中では下付文字部分は括弧にて表す。
【０００８】
次に誤差検出器の構成を図５に示す。フィルタ１７の出力を図６に示すような関係をもつスライサに通し、スライサ入力値とスライサ出力値の差から誤差を検出している。例えば、スライサ入力値が＋１４０であれば、スライサ出力値は＋１３６となり、誤差は＋４となる。係数設定器から出力されるフィルタ係数は式（１）により計算される。
【０００９】
【数１】
0004747466.tif 000002
【００１０】
ａ（ｊ）はフィルタ係数、jはフィルタ係数の位置、αはステップパラメータ、ＥＲＲは誤差を、ｔは時間である。
【００１１】
例えば、ゴースト妨害の存在する場合の地上の伝送路特性を通ると、図１９に示すような周波数特性をもち、波形等化器を通すことでゴースト妨害の存在する伝送路特性を除去するようなフィルタ係数が係数設定器で設定される。
【００１２】
【発明が解決しようとする課題】
地上デジタル放送では、地上のさまざまな地理的状況により、建物など固定した物体に反射して発生する時間的信号変動のないスタティックゴースト妨害や、木の葉、車など動的物体に反射して発生する時間的信号変動のあるダイナミックゴーストなどのゴースト妨害が存在する。従来のデジタル放送受信機では、ダイナミックゴーストに対する受信性能を上げると、スタティックゴーストに対する受信性能が下がり、スタティックゴーストの受信性能を上げるとダイナミックゴーストの受信性能が下がり、様々なゴースト妨害に対して、受信性能を上げることが困難であった。
【００１３】
【課題を解決するための手段】
第１の発明に係わる受信装置は、チューナにより周波数変換された変調信号をアナログデジタル変換するＡＤ変換器があり、チューナにより周波数変換された変調信号のレベルを検出してチューナの利得を制御する自動利得制御器があり、ＡＤ変換器によりデジタル信号に変換された変調信号を復調する復調器があり、復調されたデータの伝送路特性を補正する波形等化器があり、上記自動利得制御器は上記ＡＤ変換器と上記波形等化器の間に構成され、上記波形等化器に入力される信号レベルの平均値が、上記波形等化器内の誤差検出に用いられる誤差検出器で設定された信号レベルの平均値よりも大きな値になるように上記自動利得制御器でチューナの利得を制御し、第1の発明に係わるデジタル放送受信装置においては、スタティックゴースト妨害、ダイナミックゴースト妨害などの様々なゴースト妨害の受信性能を上げることができる。
【００１４】
第２の発明に係わる受信装置は、チューナにより周波数変換された変調信号をアナログデジタル変換するＡＤ変換器があり、チューナにより周波数変換された変調信号のレベルを検出してチューナの利得を制御する第１の自動利得制御器があり、ＡＤ変換器によりデジタル信号に変換された変調信号を復調する復調器があり、デジタル信号のレベルを制御する第２の自動利得制御器があり、復調されたデータの伝送路特性を補正する波形等化器があり、上記第１の自動利得制御器と上記第２の自動利得制御器は、上記ＡＤ変換器と上記波形等化器の間に構成され、上記第1の自動利得制御器は上記第２の自動利得制御器の前段に構成し、上記第１の自動利得制御器は、上記ＡＤ変換器に入力されるレベルが所定の値になるように、チューナの利得を制御し、波形等化器に入力される信号レベルの平均値が、波形等化器内の誤差検出に用いられる誤差検出器で設定された信号レベルの平均値よりも大きな値になるように第２の自動利得制御器で利得を制御し、第２の発明に係わるデジタル放送受信装置においては、スタティックゴースト妨害、ダイナミックゴースト妨害などの様々なゴースト妨害の受信性能を上げることができる。
【００１５】
第３の発明に係わる受信装置は、チューナにより周波数変換された変調信号をアナログデジタル変換するＡＤ変換器があり、チューナにより周波数変換された変調信号のレベルを検出してチューナの利得を制御する自動利得制御器があり、ＡＤ変換器によりデジタル信号に変換された変調信号を復調する復調器があり、復調されたデータの伝送路特性を補正する波形等化器があり、ゴースト妨害の種類を識別するゴースト妨害識別器があり、上記ゴースト妨害識別器からの識別結果により、上記波形等化器の動作を変化させ、第３の発明に係わるデジタル放送受信装置においては、スタティックゴースト妨害、ダイナミックゴースト妨害などの様々なゴースト妨害の受信性能を上げることができる。
【００１６】
第４の発明に係わる受信装置は、第３の発明に係わる受信装置の構成において、ゴースト妨害識別器は、自動利得制御器のレベル検出器からのレベル検出信号を元に、受信した変調信号にダイナミックゴースト妨害が存在するか存在しないかを識別し、ダイナミックゴースト妨害が存在すると識別したときは波形等化器の等化速度を上げ、ダイナミックゴースト妨害が存在しないと識別したときは波形等化器の等化速度を下げ、第４の発明に係わるデジタル放送受信装置においては、スタティックゴースト妨害、ダイナミックゴースト妨害などの様々なゴースト妨害の受信性能を上げることができる。
【００１７】
第５の発明に係わる受信装置は、第３の発明に係わる受信装置の構成において、ゴースト妨害識別装置は、波形等化器のフィルタ係数の値を元に、受信した変調信号にダイナミックゴースト妨害が存在するかしないかを識別し、ダイナミックゴースト妨害が存在すると識別したときは波形等化器の等化速度を上げ、ダイナミックゴースト妨害が存在しないと識別したときは波形等化器の等化速度を下げ、第５の発明に係わるデジタル放送受信装置においては、スタティックゴースト妨害、ダイナミックゴースト妨害などの様々なゴースト妨害の受信性能を上げることができる。
【００１８】
第６の発明に係わる受信装置は、チューナにより周波数変換された変調信号をアナログデジタル変換するＡＤ変換器があり、チューナにより周波数変換された変調信号のレベルを検出してチューナの利得を制御する第１の自動利得制御器があり、ＡＤ変換器によりデジタル信号に変換された変調信号を復調する復調器があり、波形等化器の入力レベルを制御する第２の自動利得制御器があり、復調されたデータの伝送路特性を補正する波形等化器があり、ゴースト妨害の種類を識別するゴースト妨害識別器があり、上記ゴースト妨害識別器からの識別結果により、上記波形等化器の動作を変化させ、第６の発明に係わるデジタル放送受信装置においては、スタティックゴースト妨害、ダイナミックゴースト妨害などの様々なゴースト妨害の受信性能を上げることができる。
【００１９】
第７の発明に係わる受信装置は、第６の発明に係わる受信装置の構成において、ゴースト妨害識別装置は、第２の自動利得制御器のレベル検出器からのレベル検出信号を元に、受信した変調信号にダイナミックゴースト妨害が存在するかまたはスタティックゴースト妨害が存在するかを識別し、ダイナミックゴースト妨害が存在すると識別したときは波形等化器の等化速度を上げ、ダイナミックゴースト妨害が存在しないと識別したときは波形等化器の等化速度を下げ、第７の発明に係わるデジタル放送受信装置においては、スタティックゴースト妨害、ダイナミックゴースト妨害などの様々なゴースト妨害の受信性能を上げることができる。
【００２０】
【発明の実施の形態】
以下、本発明による受信装置について図面を参照しながら説明する。
【００２１】
（実施の形態１）
本発明の実施の形態１のデジタル放送受信装置は図１に示す構成である。実施の形態１の全体構成は、従来例と同じ構成で、復調器５は従来例で説明した通りで、波形等化器６の構成も同じであり、従来例の自動利得制御装置の構成のみが異なる。図２にその自動利得制御器４の構成を示す。図２の実施の形態１の自動利得制御期において従来例と異なるのは、実施の形態１ではレベル大基準値設定器１０の出力値を、図１０に示す従来例の自動利得制御器４の基準値設定器５６の出力値より大きな値を設定している。
【００２２】
波形等化器の入力レベルと波形等化器のスライサ出力値のとの関係において、図６、図７、図８を用いて、実施の形態１と従来例の違いを説明する。
【００２３】
ゴースト妨害やノイズなどがない理想的な地上の伝送路において、従来例では自動利得制御器４の基準値設定器５６は、図７に示す復調器の出力が、図６の波形等化器のスライサ４３の出力値と同じ値（−２３８、−１７０、−１０２、−３４、＋３４、＋１０２、＋１７０、＋２３８の8レベル）になるように自動利得制御器の基準値設定器の出力を設定し、チューナの利得を制御している。
【００２４】
それに対し、ゴースト妨害やノイズなどがない理想的な地上の伝送路において、実施の形態１は、自動利得制御器４のレベル大基準値設定器１０の出力値を従来例の自動利得制御器４の基準値設定器５６の出力値より大きな値、例えば従来例の１．２倍の値に設定する。その場合復調器の出力は図８に示すように−２８６、−２０４、−１２２、−４１、＋４１、＋１２２、＋２０４、＋２８６となる。
【００２５】
ダイナミックゴーストの受信性能を上げるために、従来は波形等化器のステップパラメータαの値を大きする必要があったが、上記のように波形等化器の入力レベルを従来の１．２倍のレベルにして、ステップパラメータαの値を大きくして波形等化器のループ利得を大きくする（追従速度を早くする）のと同じ効果を出すと、ＲＦ入力周波数６００ＭＨｚ、遅延１マイクロ秒、ドップラー周波数２Ｈｚのダイナミックゴーストの受信性能は従来のＤ／Ｕ＝１．８ｄBから１．２ｄBまで受信性能が改善し、ＲＦ入力周波数６００ＭＨｚ、遅延１マイクロ秒、ドップラー周波数５Ｈｚのダイナミックゴーストの受信性能は従来のＤ／Ｕ＝２．５ｄBから１．５ｄBまで受信性能が改善する。しかし、ステップパラメータαの値を大きくしたときに比べ、ノイズに対する受信性能が良いために、ＲＦ入力周波数６００ＭＨｚ、遅延1マイクロ秒のスタティックゴーストの受信性能はＤ／Ｕ＝１．１ｄBから１．２ｄBと受信性能はほとんど劣化しない。
【００２６】
これを従来例のように波形等化器のステップパラメータαの値を大きくして、ＲＦ入力周波数６００ＭＨｚ、遅延１マイクロ秒、ドップラー周波数２Ｈｚのダイナミックゴーストの受信性能は従来のＤ／Ｕ＝１．８ｄBから１．２ｄBまで受信性能を改善させ、ＲＦ入力周波数６００ＭＨｚ、遅延１マイクロ秒、ドップラー周波数５Ｈｚのダイナミックゴーストの受信性能は従来のＤ／Ｕ＝２．５ｄBから１．５ｄBまで受信性能を改善させると、ＲＦ入力周波数６００ＭＨｚ、遅延1マイクロ秒のスタティックゴーストの受信性能はＤ／Ｕ＝１．１ｄBから２．４ｄBと受信性能が大きく劣化してしまう。
【００２７】
（実施の形態２）
本発明の第２の実施の形態を図９に示す。アンテナで受信されたＲＦアナログの変調信号１は、チューナ２で周波数変換され、ＡＤ変換器３でアナログの変調信号をデジタルの変調信号に変換し、第１の自動利得制御器４５でデジタルの変調信号のレベルの平均値を検出し、ＡＤ変換器３に入力されるアナログの変調信号が所定のレベルになるようにチューナの利得を制御し、所定のレベルに制御されたデジタルの変調信号を復調器５で復調し、第２の自動利得制御器４６では、波形等化器に入力する信号を所定のレベルになるように制御し、波形等化器は、復調器により復調されたデジタル信号から地上の伝送路によって付加されたゴースト妨害などの伝送路特性を除去し、誤り訂正器にデータを渡している。
【００２８】
第１の自動利得制御器４５は図１０に示す従来の自動利得制御器４と同じ構成で、動作も従来例と同様に、地上の伝送路においてノイズやゴーストなどの妨害を受けていない場合には、復調器の出力が図６に示す値の８レベルとして表される。
【００２９】
次に第２の自動利得制御器４６の構成を図１１に示す。第２の自動利得制御器は第２の平均化器４７、減算器４８、第２のレベル大基準値設定器４９、積分器５４、第２の自動利得制御信号発生器５０、乗算器５１からなり、平均化器４７では、地上の伝送路においてノイズやゴーストなどの妨害を受けていない場合には図６に示すような８レベルの信号の平均値（平均値１３６）を求め、減算器４８で平均値と第２のレベル大基準値設定器４９の誤差を計算し、積分器５４で積分し、積分器５４の出力値の大きさにより第２の自動利得制御信号発生器の出力値を変化させて乗算器５１に掛け合わせる値を変えることで、第２の自動利得制御器からの出力信号のレベルを制御する。
【００３０】
復調器５は従来例で説明した通りで、波形等化器６の構成は従来例および実施の形態１と同じである。
【００３１】
第２の自動利得制御器では、地上の伝送路においてノイズやゴーストなどの妨害を受けていない場合には、図６に示すような８レベルの信号が入力されると図８に示すような８レベルの信号を出力するように、波形等化器に入力される信号レベルを制御する。
【００３２】
つまり、実施の形態1と同様に、波形等化器に入力される８レベルの信号を波形等化器６のスライサ４３の出力値−２３８、−１７０、−１０２、−３４、＋３４、＋１０２、＋１７０、＋２３８の8レベルより大きな値の−２８６、−２０４、−１２２、−４１、＋４１、＋１２２、＋２０４、＋２８６に設定することにより、ＲＦ入力周波数６００ＭＨｚ、遅延１マイクロ秒、ドップラー周波数２Ｈｚのダイナミックゴーストの受信性能は従来のＤ／Ｕ＝１．８ｄBから１．２ｄBまで受信性能が改善し、ＲＦ入力周波数６００ＭＨｚ、遅延１マイクロ秒、ドップラー周波数５Ｈｚのダイナミックゴーストの受信性能は従来のＤ／Ｕ＝２．５ｄBから１．５ｄBまで受信性能が改善する。
【００３３】
しかし、ステップパラメータαの値を大きくしたときに比べ、ノイズに対する受信性能が良いために、ＲＦ入力周波数６００ＭＨｚ、遅延1マイクロ秒のスタティックゴーストの受信性能はＤ／Ｕ＝１．１ｄBから１．２ｄBと受信性能はほとんど劣化しない。
【００３４】
これを従来例のように波形等化器のステップパラメータαの値を大きくして、ＲＦ入力周波数６００ＭＨｚ、遅延１マイクロ秒、ドップラー周波数２Ｈｚのダイナミックゴーストの受信性能は従来のＤ／Ｕ＝１．８ｄBから１．２ｄBまで受信性能を改善させ、ＲＦ入力周波数６００ＭＨｚ、遅延１マイクロ秒、ドップラー周波数５Ｈｚのダイナミックゴーストの受信性能は従来のＤ／Ｕ＝２．５ｄBから１．５ｄBまで受信性能を改善させると、ＲＦ入力周波数６００ＭＨｚ、遅延1マイクロ秒のスタティックゴーストの受信性能はＤ／Ｕ＝１．１ｄBから２．４ｄBと受信性能が大きく劣化してしまう。
【００３５】
また実施の形態２のようにチューナ２の利得を制御する第１の自動利得制御器と波形等化器の入力レベルを制御する第２の自動利得制御器を別に設けることで、隣接チャンネル妨害が存在する場合に、第1の自動利得制御器によりチューナ２に入力されるレベルを抑圧することが可能となり、スタティックゴースト、ダイナミックゴースト妨害などの様々なゴースト妨害の受信性能を良くしたままで、実施の形態１に比べ、隣接チャンネル妨害性能を良くすることも可能である。
【００３６】
（実施の形態３）
本発明の第３の実施の形態を図１２に示す。アンテナで受信されたＲＦアナログの変調信号１は、チューナ２で周波数変換され、ＡＤ変換器３でアナログの変調信号をデジタルの変調信号に変換し、自動利得制御器４でデジタルの変調信号のレベルの平均値を検出し、ＡＤ変換器３に入力されるアナログの変調信号が所定のレベルになるようにチューナ２の利得を制御し、所定のレベルに制御されたデジタルの変調信号を復調器５で復調し、ゴースト妨害識別器５２は自動利得制御器４からの信号を元にダイナミックゴースト妨害が存在するかしないかを識別し、波形等化器６は、ゴースト妨害識別器５２からの信号を元に、復調器５により復調されたデジタル信号から地上の伝送路によって付加されたゴースト妨害などの伝送路特性を除去し、誤り訂正器にデータを渡している。
【００３７】
図１３に自動利得制御器の構成を示す。自動利得制御器４は、ＡＤ変換器３に入力される信号レベルの平均値を求める平均化器８と、ＡＤ変換器３に入力される信号レベルの平均値を希望する値に設定するための基準値設定器５６と、基準値設定器５６の値との誤差をとる減算器９と、減算器９で計算された誤差を積分する積分器１１と、その積分器１１の出力によりチューナの利得を上げたり、下げたりする信号を発生する利得制御信号発生器１２がある。積分器１１の出力値がマイナスであれば、チューナ２の利得を上げ、誤差値がプラスであれば、チューナ２の利得を下げる制御を行い、積分器の出力をゴースト妨害識別器５２に入力している。
【００３８】
ゴースト妨害識別器５２は、ダイナミックゴースト妨害が存在する場合に自動利得制御器４の積分器１１の出力値が時間の変化とともに変動するため、積分器１１からの出力信号が変動している場合は、ダイナミックゴースト妨害が存在すると識別し、変動していない場合はスタティックゴースト妨害などが存在すると識別する。復調器５は従来例で説明した通りである。
【００３９】
図１４に波形等化器の構成を示す。波形等化器６はフィルタ１７、誤差検出器１４、ステップパラメータ設定器１３、フィルタ係数設定器１５からなり、従来例および実施の形態１と同じであるが、ステップパラメータ設定器１３の動作が異なる。
【００４０】
従来例および実施の形態１のステップパラメータ設定器１３は常に一定のパラメータαを設定しているが、実施の形態３のステップパラメータ設定器３はゴースト妨害識別器５２の識別結果が、ダイナミックゴースト妨害が存在すると識別した場合には、ステップパラメータαの値を大きくし（例えばα=４０）、ダイナミックゴースト妨害の受信性能を上げるために、波形等化の速度を上げる。ダイナミックゴースト妨害が存在しないと識別した場合には（スタティックゴースト妨害などが存在する場合）、ステップパラメータαの値を小さくし（例えばα=１０）、スタティックゴースト妨害の受信性能を上げる
（実施の形態４）
本発明の第４の実施の形態を図１５に示す。アンテナで受信されたＲＦアナログの変調信号１は、チューナ２で周波数変換され、ＡＤ変換器３でアナログの変調信号をデジタルの変調信号に変換し、自動利得制御器４でデジタルの変調信号のレベルの平均値を検出し、ＡＤ変換器３に入力されるアナログの変調信号が所定のレベルになるようにチューナ２の利得を制御し、所定のレベルに制御されたデジタルの変調信号を復調器５で復調し、ゴースト妨害識別器５３は波形等化器６のフィルタ係数ａ0〜ａnを元にダイナミックゴースト妨害が存在するかしないかを識別し、波形等化器６は、ゴースト妨害識別器５３からの信号を元に、復調器５により復調されたデジタル信号から地上の伝送路によって付加されたゴースト妨害などの伝送路特性を除去し、誤り訂正７器にデータを渡している。
【００４１】
自動利得制御器４は従来例と同じ構成で、復調器５も従来例で説明したとおりである。波形等化器６の構成を図１６に示す。
【００４２】
ゴースト妨害識別器５３は波形等化器６のフィルタ係数ａ（０）〜ａ（ｎ）（２８〜３１、３９〜４１）の絶対値が最大となるフィルタ係数amaxを検索し、amaxが時間の変化とともにある値以上変化した場合、またはmaxの値（係数の番号）が時間の変化とともに変化する場合にはダイナミックゴースト妨害が存在すると識別する。それ以外の場合にスタティックゴースト妨害などが存在すると識別する。
【００４３】
波形等化器６はフィルタ１７、誤差検出器１４、ステップパラメータ設定器１３、フィルタ係数設定器１５からなり、実施の形態３と同じ動作をする。るまり、ステップパラメータ設定器１３はゴースト妨害識別器５２の識別結果が、ダイナミックゴースト妨害が存在すると識別した場合には、ステップパラメータαの値を大きくし（例えばα=４０）、ダイナミックゴースト妨害の受信性能を上げるために、波形等化の速度を上げる。ダイナミックゴースト妨害が存在しないと識別した場合には（スタティックゴースト妨害が存在する場合）、ステップパラメータαの値を小さくし（例えばα=１０）、スタティックゴースト妨害の受信性能を上げる。
【００４４】
（実施の形態５）
本発明の第５の実施の形態を図１７に示す。アンテナで受信されたＲＦアナログの変調信号１は、チューナ２で周波数変換され、ＡＤ変換器３でアナログの変調信号をデジタルの変調信号に変換し、第１の自動利得制御器４５でデジタルの変調信号のレベルの平均値を検出し、ＡＤ変換器３に入力されるアナログの変調信号が所定のレベルになるようにチューナ２の利得を制御し、所定のレベルに制御されたデジタルの変調信号を復調器５で復調し、第２の自動利得制御器４６で波形等化器６に入力される信号レベルを制御し、ゴ―スト妨害識別器５２は第２の自動利得制御器４６からの信号を元にダイナミックゴースト妨害が存在するかしないかを識別し、波形等化器６は、ゴースト妨害識別器５２からの信号を元に、復調器５により復調されたデジタル信号から地上の伝送路によって付加されたゴースト妨害などの伝送路特性を除去し、誤り訂正器７にデータを渡している。
【００４５】
第１の自動利得制御器は、実施の形態３の自動利得制御器４と同じ構成であるが、チューナ２と自動利得制御器４とのループ利得を実施の形態３に比べて小さく設定する。復調器５も従来例および実施の形態１、２，３、４と同じ動作をする。
【００４６】
第２の自動利得制御器の構成を図１８に示す。第２の自動利得制御器は第２の平均化器４７、減算器４８、第２の基準値設定器５５、、積分器５４、第２の自動利得制御信号発生器５０からなり、平均化器４７では図６に示すような８レベルの信号の平均値を求め、減算器４８で平均値と第２の基準値設定器４９の誤差をもとめ、その誤差を積分器５４で積分し、積分器５４の出力値の大きさにより第２の自動利得制御信号発生器５０の出力値を変化させて乗算器５１に掛け合わせる値を変えることで、第２の自動利得制御器４６からの出力信号のレベルを制御する。さらに積分器５４の出力をゴースト妨害識別器５２に渡している。
【００４７】
ゴースト妨害識別器５２は実施の形態３と同じ動作をし、ダイナミックゴースト妨害が存在する場合に自動利得制御器４の積分器の出力値が時間の変化とともに変動するため、積分器１１からの出力信号が変動している場合は、ダイナミックゴースト妨害が存在すると識別し、変動していない場合はスタティックゴースト妨害などが存在すると識別する。
【００４８】
波形等化器６は実施の形態３の図１６と同じ構成で、フィルタ１７、誤差検出器１４、ステップパラメータ設定器１３、フィルタ係数設定器１５からなり、構成、動作とも実施の形態３と同じで、ステップパラメータ設定器１３はゴースト妨害識別器５２の識別結果が、ダイナミックゴースト妨害が存在すると識別した場合には、ステップパラメータαの値を大きくし（例えばα=４０）、ダイナミックゴースト妨害の受信性能を上げるために、波形等化の速度を上げる。ダイナミックゴースト妨害が存在しないと識別した場合には（スタティックゴースト妨害が存在する場合）、ステップパラメータαの値を小さくし（例えばα=１０）、スタティックゴースト妨害の受信性能を上げる。
【００４９】
【発明の効果】
以上のように、本発明のデジタル放送受信装置によれば、チューナを制御する自動利得制御器または波形等化器に入力されるレベルを制御する第２の自動利得制御器により、波形等化器に入力される８レベルの信号の大きさを、波形等化器のスライサの出力値の大きさよりも大きく設定することで、スタティックゴースト妨害やダイナミックゴーストなどの様々なゴースト妨害性能を良くすることができる。
【００５０】
また本発明の受信装置によれば、ゴースト妨害識別器によりスタティックゴースト妨害が存在するか、存在しないかどうかを識別し、ダイナミックゴースト妨害が存在する場合には波形等化器のステップパラメータ値を大きく設定し、ダイナミックゴースト妨害が存在しない場合は、波形等化器のステップパラメータを小さく設定することで、スタティックゴースト妨害やダイナミックゴーストなどの様々なゴースト妨害性能を良くすることができる。
【図面の簡単な説明】
【図１】本発明の実施の形態１におけるデジタル放送受信装置の構成図
【図２】本発明の実施の形態１における自動利得制御器の構成図
【図３】本発明の実施の形態１における波形等化器の構成図
【図４】本発明の実施の形態１おける波形等化器のフィルタの構成図
【図５】本発明の実施の形態１における波形等化器の誤差検出器の構成図
【図６】本発明の実施の形態１における波形等化器のスライサの入出力関係図
【図７】従来例における波形等化器の入力データ値を示す図
【図８】本発明の実施の形態１における波形等化器の入力データ値を示す図
【図９】本発明の実施の形態２におけるデジタル放送受信装置の構成図
【図１０】本発明の実施の形態２における自動利得制御器の構成図
【図１１】本発明の実施の形態２における第２の自動利得制御器の構成図
【図１２】本発明の実施の形態３におけるデジタル放送受信装置の構成図
【図１３】本発明の実施の形態３における自動利得制御器の構成図
【図１４】本発明の実施の形態３における波形等化器の構成図
【図１５】本発明の実施の形態４におけるデジタル放送受信装置の構成図
【図１６】本発明の実施の形態４における波形等化器のの構成図
【図１７】本発明の実施の形態５におけるデジタル放送受信装置の構成図
【図１８】本発明の実施の形態５における第２の自動利得制御器の構成図
【図１９】ゴースト除去の原理図
【符号の説明】
１  ＲＦアナログの変調信号
２  チューナ
３  ＡＤ変換器
４  自動利得制御器
５  復調器
６  波形等化器
７  誤り訂正器
８  平均化器
９、４４、４８  減算器
１０  レベル大基準値設定器
１１、５４  積分器
１２  自動利得制御信号発生器
１３  ステップパラメータ設定器
１４  誤差検出器
１５  係数設定器
１７  フィルタ
１８  ＦＩＲフィルタ
１９  ＩＩＲフィルタ
２０、２１、２２、２３、３３、３４、３５  遅延器
２４、２５、２６、２７、３６、３７、３８、５１  乗算器
２８、２９、３０、３１、３９、４０、４１  フィルタ係数
３２、４２  加算器
４３  スライサ
４５  第１の自動利得制御器
４６  第２の自動利得制御器
４７  第２の平均化器
５０  第２の利得制御信号発生器
５２、５３  ゴースト妨害識別器
５５  第２の基準値設定器
５６  基準値設定器
【図１】
0004747466.tif 000003
【図２】
0004747466.tif 000004
【図３】
0004747466.tif 000005
【図４】
0004747466.tif 000006
【図５】
0004747466.tif 000007
【図６】
0004747466.tif 000008
【図７】
0004747466.tif 000009
【図８】
0004747466.tif 000010
【図９】
0004747466.tif 000011
【図１０】
0004747466.tif 000012
【図１１】
0004747466.tif 000013
【図１２】
0004747466.tif 000014
【図１３】
0004747466.tif 000015
【図１４】
0004747466.tif 000016
【図１５】
0004747466.tif 000017
【図１６】
0004747466.tif 000018
【図１７】
0004747466.tif 000019
【図１８】
0004747466.tif 000020
【図１９】
0004747466.tif 000021